(57)【要約】【課題】放送電波に含まれるデータ放送用の情報と外部機器からの映像情報とを適切な形態であわせて表示する。【解決手段】ディジタル放送受信装置の電源が投入されると映像デコーダ５からの映像情報が表示部１１に全画面表示される。この状態で入力部１４に対する所定の操作がなされると映像デコーダ５からの映像情報とデータ放送デコーダ７からのデータ放送用の情報が表示部１１の独立した表示領域にそれぞれ表示される。カーナビゲーション装置１６が起動している状態で入力部１４に対する所定の操作がなされてデータ放送表示中における外部機器からの映像情報の同時表示が有効となると、データ放送用の情報の表示が維持された上で表示部１１における映像デコーダ５からの映像情報の表示領域にカーナビゲーション装置１６から映像情報が上書き表示される。【選択図】      図１
2007096402.tif 000002
【特許請求の範囲】
【請求項１】
放送電波を受信選局する受信選局手段と、
この受信選局した放送電波に含まれる映像情報および前記放送電波に含まれ且つ前記映像情報と独立したデータ放送用の情報を表示する表示手段と、
前記映像情報を前記表示手段の第１の表示領域に表示させ、前記データ放送用の情報を前記第１の表示領域と独立した第２の表示領域に表示させる第１の表示制御手段と、
この第１の表示制御手段による表示を行なっていて外部機器からの映像情報を入力している場合に前記データ放送用の情報の前記表示手段の第２の表示領域への表示を維持した上で前記表示手段の第１の表示領域に前記外部機器からの映像情報を前記表示された映像情報に代えて表示させる第２の表示制御手段と
を備えたことを特徴とするディジタル放送受信装置。
【請求項２】
装置本体が車両に搭載されており、
前記車両が走行状態にあるか停車状態にあるかを検出する走行／停車検出手段をさらに備え、
前記第２の表示制御手段は、
前記第１の表示制御手段による表示を行なっていて前記外部機器からの映像情報を入力していて前記走行／停車検出手段により前記車両が走行状態にあることを検出した場合に前記データ放送用の情報の前記表示手段の第２の表示領域への表示を維持した上で前記表示手段の第１の表示領域に前記外部機器からの映像情報を前記表示された映像情報に代えて表示させる
ことを特徴とする請求項１に記載のディジタル放送受信装置。
【請求項３】
前記表示手段の第１の表示領域の位置情報を取得する取得手段をさらに備え、
前記第２の表示制御手段は、
前記第１の表示制御手段による表示を行なっていて前記外部機器からの映像情報を入力している場合に前記外部機器からの映像情報の前記表示手段における表示サイズを前記第１の表示領域のサイズに縮小し、この縮小した映像情報を前記表示された映像情報に代えて前記取得手段により取得した位置情報で示される前記表示手段の表示領域に表示させる
ことを特徴とする請求項１に記載のディジタル放送受信装置。
【発明の詳細な説明】
【技術分野】
【０００１】
本発明は、データ放送用の情報が含まれる放送電波を受信する機能を有するディジタル放送受信装置に関する。
【背景技術】
【０００２】
従来、例えば地上波ディジタル放送などのディジタル方式の放送を受信するディジタル放送受信装置が運用されている。このディジタル放送受信装置は映像情報、音声情報、データ放送用の情報などが多重化された放送電波を受信して、この放送電波に含まれる映像情報、音声情報およびデータ放送用の情報を再生する機能を有する。
【０００３】
このようなディジタル放送受信装置はデータ放送の受信が指定されると前述した映像情報とデータ放送用の情報とが表示装置の画面上の独立した２つの表示領域のそれぞれに表示される（例えば特許文献１参照）。
【特許文献１】特開２００４−１２９３１０号公報
【発明の開示】
【発明が解決しようとする課題】
【０００４】
例えばカーナビゲーション装置などの外部機器からの映像情報をディジタル放送受信装置の表示装置に表示させたい場合がある。外部機器からの映像情報を前述した表示装置に表示させるためには外部機器からの映像情報を全画面表示させることが考えられるが、この場合にはユーザはデータ放送用の情報と外部機器からの情報を同時に見ることができない。
【０００５】
また、ディジタル放送受信装置には放送電波に含まれる映像情報と外部機器からの映像情報とを親子画面として同一画面上に表示させたりするものもあるが、子画面の表示サイズは親画面と比較して小さいのでユーザはその画面の内容を把握しにくい。
【０００６】
そこで、本発明の目的は、放送電波に含まれるデータ放送用の情報と外部機器からの映像情報とを適切な形態であわせて表示することが可能になるディジタル放送受信装置を提供することにある。
【課題を解決するための手段】
【０００７】
すなわち、本発明に係わるディジタル放送受信装置は、放送電波を受信選局する受信選局手段と、この受信選局した放送電波に含まれる映像情報および放送電波に含まれ且つ前記映像情報と独立したデータ放送用の情報を表示する表示手段とを備え、映像情報を表示手段の第１の表示領域に表示させ、データ放送用の情報を第１の表示領域と独立した第２の表示領域に表示させ、この表示を行なっていて外部機器からの映像情報を入力している場合にデータ放送用の情報の第２の表示領域への表示を維持した上で第１の表示領域に外部機器からの映像情報を前述のように表示された映像情報に代えて表示させることを特徴とする。
【発明の効果】
【０００８】
本発明に係わるディジタル放送受信装置では、放送電波を受信選局する受信選局手段と、この受信選局した放送電波に含まれる映像情報および放送電波に含まれ且つ前記映像情報と独立したデータ放送用の情報を表示する表示手段とを備え、映像情報を表示手段の第１の表示領域に表示させ、データ放送用の情報を第１の表示領域と独立した第２の表示領域に表示させ、この表示を行なっていて外部機器からの映像情報を入力している場合にデータ放送用の情報の第２の表示領域への表示を維持した上で第１の表示領域に外部機器からの映像情報を前述のように表示された映像情報に代えて表示させるので、放送電波に含まれるデータ放送用の情報と外部機器からの映像情報とを適切な形態であわせて表示することができる。
【発明を実施するための最良の形態】
【０００９】
以下図面により本発明の実施形態について説明する。  
（第１の実施形態）
まず、本発明の第１の実施形態について説明する。  
図１は、本発明の第１の実施形態にしたがったディジタル放送受信装置の内部回路の構成例を示すブロック図である。  
このディジタル放送受信装置は車両に搭載される装置である。このディジタル放送受信装置は装置全体の動作を司る制御部１を備え、ＴＶ（テレビ）アンテナ２が受信した地上波ディジタルテレビ放送の放送電波から予め選択した放送局の電波を選局するチューナ部３およびこの選局された電波を復調してテレビ映像信号、テレビ音声信号およびデータ放送用の信号に分離する分離部（デマルチプレクサ部）４をさらに備える。
【００１０】
また、このディジタル放送受信装置は信号分離部４により分離されたテレビ映像信号を復号（デコード）して出力する映像デコーダ５、前述のように分離されたテレビ音声信号を復号して出力する音声デコーダ６および前述のように分離されたデータ放送用の信号を復号して出力するデータ放送デコーダ７をさらに備える。
【００１１】
また、このディジタル放送受信装置は映像デコーダ５などから入力した信号のうち表示部（モニタ）１１に出力する信号を選択する表示制御部１２を備える。また、音声デコーダ６が出力された信号は音声再生部（スピーカ）１３に入力される。
【００１２】
ディジタル放送受信装置は、各種キーや操作スイッチからなる入力部１４および外部機器インタフェース（Ｉ／Ｆ）１５を備える。外部機器インタフェース１５にはカーナビゲーション装置１６が着脱自在に接続される。
【００１３】
なお、外部機器インタフェース１５と接続される外部機器はカーナビゲーション装置１６に限らず、映像情報を含む信号を出力する装置であれば例えばＤＶＤプレーヤなどであってもよい。
【００１４】
カーナビゲーション装置１６はカーナビゲーションを行なうための図示しないＧＰＳ（Global Positioning System）受信部を備える。このＧＰＳ受信部は図示しないＧＰＳ衛星から送られる電波をＧＰＳアンテナ１７を介して受信し、現在の自車位置を検出する。
【００１５】
カーナビゲーション装置１６は目的地設定にかかる操作および自車位置から目的地までの経路検索要求にかかる操作がカーナビゲーション装置１６の図示しない入力部に対してなされた場合には現在位置から目的地までの経路の検索を行なう。
【００１６】
このカーナビゲーション装置１６は検索の結果得た経路情報、現在位置およびその周囲と対応する地図情報と重ね合わせた情報を含む信号を外部機器インタフェース１５に出力する。経路情報とは例えば経路に沿った矢印などである。外部機器インタフェース１５はカーナビゲーション装置１６からの信号を制御部１からの制御にしたがって表示制御部１２に出力する。
【００１７】
図２は本発明の第１の実施形態にしたがったディジタル放送受信装置の表示制御部１２の内部回路の構成例を示すブロック図である。  
この表示制御部１２は映像信号切替部２１，２２，２３，２４、画像サイズ変換部２５および画像合成部２６を備える。
【００１８】
映像信号切替部２１，２２，２３，２４は制御部１と接続される。また、映像信号切替部２１は外部機器インタフェース１５、映像信号切替部２４および画像サイズ変換部２５と接続される。
【００１９】
映像デコーダ５およびデータ放送デコーダ７は映像信号切替部２２と接続される。また、制御部１は画像サイズ変換部２５および画像合成部２６と接続される。画像サイズ変換部２５は画像合成部２６と接続される。画像合成部２６は映像信号切替部２３と接続される。映像信号切替部２２は画像合成部２６および映像信号切替部２３と接続される。映像信号切替部２３は映像信号切替部２４と接続される。映像信号切替部２４は表示部１１と接続される。
【００２０】
映像信号切替部２１は外部機器インタフェース１５からの信号を映像信号切替部２４および画像サイズ変換部２５のいずれか一方に出力する。映像信号切替部２２は映像デコーダ５からの信号の映像信号切替部２３への出力あるいは映像デコーダ５からの信号およびデータ放送デコーダ７からの信号の画像合成部２６への出力を行なう。
【００２１】
映像信号切替部２３は画像合成部２６からの信号および映像信号切替部２２からの信号のいずれか一方を映像信号切替部２４に出力する。映像信号切替部２４は映像信号切替部２１からの信号および映像信号切替部２３からの信号のいずれか一方を表示部１１に出力する。
【００２２】
次に、図１に示した構成のディジタル放送受信装置の動作について説明する。  
このディジタル放送受信装置はユーザが入力部１４を操作して選択したチャンネルの通常のテレビ映像の情報および同一チャンネルのデータ放送用の情報の表示部１１への表示時にこのデータ放送用の情報の表示を維持した上で外部機器インタフェース１５からの信号に含まれる映像情報をテレビ映像の情報に代えて表示部１１に表示させる機能を有する。データ放送用の情報とは例えばニュースや天気予報などを示す文字情報や画像情報であり、前述したテレビ映像の情報と独立した情報である。
【００２３】
ここではカーナビゲーション装置１５が既に起動しており、カーナビゲーションに関する映像情報が外部機器インタフェース１５を介して表示制御部１２に出力されていると仮定する。
【００２４】
まず、図１に示したディジタル放送受信装置の電源が投入されると、制御部１は映像デコーダ５からの映像情報が表示部１１に出力されるように表示制御部１２に指示する。
【００２５】
具体的には、制御部１は表示制御部１２の映像信号切替部２１，２２，２３，２４に識別情報“０”を含む制御信号を出力する。  
映像信号切替部２１は制御部１から入力した信号に含まれる識別情報が“０”である場合には外部機器インタフェース１５からの信号を映像信号切替部２４に出力する。映像信号切替部２２は制御部１から入力した信号に含まれる識別情報が“０”である場合には映像デコーダ５からの信号を映像信号切替部２３に出力する。
【００２６】
また、映像信号切替部２３は制御部１から入力した信号に含まれる識別情報が“０”である場合には映像信号切替部２２からの信号を映像信号切替部２４に出力する。映像信号切替部２４は制御部１から入力した信号に含まれる識別情報が“０”である場合には映像信号切替部２３からの信号を表示部１１に出力する。この結果、映像デコーダ５からの映像情報が表示部１１に全画面表示される。  
この状態で入力部１４への所定の操作がなされると表示部１１に表示させる映像情報の種別にかかる設定用画面Ｇ１が表示部１１に表示される（ステップＳ１）。
【００２７】
図４は、本発明の第１の実施形態にしたがったディジタル放送受信装置による表示種別の設定用画面Ｇ１の一例を示す図である。  
この設定用画面Ｇ１が表示部１１に表示されている状態でユーザが入力部１４を操作して画面Ｇ１上のカーソルを“テレビ放送”または“外部映像”に設定したのちにＯＫアイコン３１を選択することで表示部１１にテレビ放送の映像情報を表示させるか外部機器からの映像情報を表示させるかを設定することができる。ここでは外部機器からの映像情報はカーナビゲーション用の映像情報である。
【００２８】
画面Ｇ１においてカーソルが“テレビ放送”に設定されてＯＫアイコン３１が選択された場合（ステップＳ２のＹＥＳ）には、制御部１は表示制御部１２の映像信号切替部２１，２２，２３，２４に識別情報“０”を含む制御信号を出力する。したがって電源投入時と同様に映像デコーダ５からの映像情報が表示部１１に全画面表示される（ステップＳ３）。
【００２９】
一方、画面Ｇ１においてカーソルが“外部映像”に設定されてＯＫアイコン３１が選択された場合（ステップＳ２のＮＯ）には、制御部１は表示制御部１２の映像信号切替部２１，２２，２３に識別情報“０”を含む制御信号を出力し、映像信号切替部２４に識別情報“１”を含む制御信号を出力する。
【００３０】
映像信号切替部２４は制御部１から入力した信号に含まれる識別情報が“１”である場合には映像信号切替部２１からの信号を表示部１１に出力する。したがって外部機器インタフェース１５からの映像情報が表示部１１に全画面表示される（ステップＳ４）。
【００３１】
この場合にはユーザが入力部１４を操作して設定用画面Ｇ１を表示部１１に表示させ、この画面Ｇ１上のカーソルを“テレビ放送”に設定したのちにＯＫアイコン３１を選択すると制御部１は表示制御部１２の映像信号切替部２１，２２，２３，２４に識別情報“０”を含む制御信号を出力する。これにより表示部１１への表示形態はテレビ映像の情報の全画面表示に戻る。
【００３２】
以後、設定用画面Ｇ１においてカーソルが“テレビ放送”に設定されてＯＫアイコン３１が選択された場合の処理手順について説明する。この状態で入力部１４に対する所定の操作がなされると、表示部１１へのデータ放送の表示有無にかかる設定用画面Ｇ２が表示部１１に表示される。
【００３３】
図５は本発明の第１の実施形態にしたがったディジタル放送受信装置によるデータ放送の表示有無の設定用画面Ｇ２の一例を示す図である。  
この設定用画面Ｇ２が表示部１１に表示されている状態でユーザが入力部１４を操作して画面Ｇ２上のカーソルを“ＯＮ”または“ＯＦＦ”に設定したのちにＯＫアイコン３２を選択することで表示部１１にデータ放送用の情報をテレビ映像の情報とともに表示させるか否かを設定することができる。
【００３４】
設定用画面Ｇ２においてカーソルが“ＯＮ”に設定されてＯＫアイコン３２が選択された場合（ステップＳ５のＹＥＳ）には制御部１は表示制御部１２の映像信号切替部２１，２４に識別情報“０”を含む制御信号を出力し、映像信号切替部２２，２３に識別情報“１”を含む制御信号を出力する。
【００３５】
映像信号切替部２２は制御部１から入力した信号に含まれる識別情報が“１”である場合には映像デコーダ５からの信号およびデータ放送デコーダ７からの信号を画像合成部２６に出力する。また、映像信号切替部２３は制御部１から入力した信号に含まれる識別情報が“１”である場合には画像合成部２６からの信号を映像信号切替部２４に出力する。
【００３６】
制御部１から画像合成部２６に直接出力される信号にはデータ放送用の情報を表示部１１に表示させた場合の映像デコーダ５からの映像情報の表示部１１における表示サイズの情報および表示部１１における第１の表示領域の情報および第２の表示領域の情報が含まれる。第１の表示領域と第２の表示領域はそれぞれ独立する。
【００３７】
画像合成部２６は映像信号切替部２２からの信号で示されるテレビ映像情報およびデータ放送用の文字情報や画像情報を前述した表示サイズの情報および表示領域の情報をもとに合成してこれを映像信号切替部２３に出力する。この場合通常のテレビ映像のサイズは前述した表示サイズに縮小され、この合成した映像を表示部１１に表示した際の前述した第１の表示領域には当該テレビ映像の情報が割り当てられ、前述した第２の表示領域にはデータ放送用の情報が割り当てられる。
【００３８】
これによりテレビ映像情報およびデータ放送用の文字情報や画像情報がそれぞれ独立して表示部１１に同時表示される（ステップＳ６）。この場合には設定用画面Ｇ２が表示部１１に表示された状態でユーザが入力部１４を操作して画面Ｇ２上のカーソルを“ＯＦＦ”に設定したのちにＯＫアイコン３２を選択すると制御部１は表示制御部１２の映像信号切替部２１，２２，２３，２４に識別情報“０”を含む制御信号を出力する。これにより表示部１１への表示形態はテレビ映像の情報の全画面表示に戻る。
【００３９】
図６は、本発明の第１の実施形態にしたがったディジタル放送受信装置によるテレビ映像およびデータ放送の表示画面の一例を示す図である。  
この状態で入力部１４に対する所定の操作がなされると、表示部１１へのデータ放送用の情報の表示中における外部機器からの映像情報の同時表示にかかる設定用画面Ｇ３が表示部１１に表示される。
【００４０】
図７は、本発明の第１の実施形態にしたがったディジタル放送受信装置によるデータ放送表示時の外部機器映像の同時表示の有無の設定用画面Ｇ３の一例を示す図である。  
この設定用画面Ｇ３が表示部１１に表示された状態でユーザが入力部１４を操作して画面Ｇ３上のカーソルを“ＯＮ”または“ＯＦＦ”に設定したのちにＯＫアイコン３３を選択することで表示部１１にデータ放送用の情報と外部機器からの映像情報とをともに表示させるか否かを設定することができる。
【００４１】
設定用画面Ｇ３においてカーソルが“ＯＮ”に設定されてＯＫアイコン３３が選択された場合（ステップＳ７のＹＥＳ）には、制御部１は表示制御部１２の映像信号切替部２１，２２，２３に識別情報“１”を含む制御信号を出力し、映像信号切替部２４に識別情報“０”を含む制御信号を出力する。
【００４２】
映像信号切替部２１は制御部１から入力した信号に含まれる識別情報が“１”である場合には外部機器インタフェース１５からの映像信号を画像サイズ変換部２５に出力する。
【００４３】
制御部１から画像サイズ変換部２５に出力される信号には外部機器からの映像情報をデータ放送用の情報とともに表示部１１に表示させた場合の表示サイズの情報が含まれる。画像サイズ変換部２５は映像信号切替部２１からの信号を入力すると、この信号に含まれる映像情報の表示部１１における表示サイズを制御部１からの前述した表示サイズの情報で示されるサイズに縮小し、この信号を画像合成部２６に出力する（ステップＳ８）。
【００４４】
画像合成部２６は画像サイズ変換部２５からの信号を入力すると、この信号に含まれる映像情報および映像信号切替部２２からのデータ放送用の文字や画像を前述した表示領域の情報をもとに合成する（ステップＳ９）。
【００４５】
この合成後の情報の表示部１１における第１の表示領域には当該テレビ放送の映像情報に代わって前述した外部機器インタフェース１５からの画像サイズ変換部２５による変換後の映像の情報が割り当てられ、前述した第２の表示領域にはデータ放送用の情報が継続して割り当てられる。
【００４６】
これにより外部機器からの映像情報とデータ放送用の文字情報や画像情報とがそれぞれ独立して表示部１１に同時表示される（ステップＳ１０）。この場合には設定用画面Ｇ３にしたがってユーザが入力部１４を操作して画面Ｇ３上のカーソルを“ＯＦＦ”に設定したのちにＯＫアイコン３３を選択すると、制御部１は表示制御部１２の映像信号切替部２１，２４に識別情報“０”を含む制御信号を出力し、映像信号切替部２２，２３に識別情報“１”を含む制御信号を出力する。これにより表示部１１への表示形態はテレビ映像の情報とデータ放送用の情報の同時表示に戻る。
【００４７】
図８は、本発明の第１の実施形態にしたがったディジタル放送受信装置による外部映像およびデータ放送の表示画面の一例を示す図である。  
以上のように、本発明の第１の実施形態にしたがったディジタル放送受信装置ではテレビ放送の映像情報とデータ放送の情報をともに表示部１１に表示させている状態で予め定められた設定を行なうと外部機器からの映像情報がテレビ放送用の情報に代えて表示部１１におけるデータ放送用の情報の表示領域と独立した表示領域に表示させることができる。つまりこのディジタル放送受信装置は外部機器からの映像情報とデータ放送用の情報を表示部１１においてユーザが見やすい形態で表示させることができる。
【００４８】
（第２の実施形態）
次に、本発明の第２の実施形態について説明する。なお、本実施形態に係るディジタル放送受信装置の構成は図１に示したものと基本的にほぼ同様であるので同一部分の説明は省略する。  
図９は、本発明の第２の実施形態にしたがったディジタル放送受信装置の内部回路の構成例を示すブロック図である。
【００４９】
本発明の第２の実施形態にしたがったディジタル放送受信装置は本発明の第１の実施形態にしたがったディジタル放送受信装置と異なり、車速センサ４１、走行状態検出部４２およびパーキングブレーキセンサ４３をさらに備える。
【００５０】
車速センサ４１は車両の前輪の回転軸などの図示しない回転駆動部に設けられており、当該車両の速度を検出する。パーキングブレーキセンサ４３は車両のパーキングブレーキの稼動状況を検知する。
【００５１】
走行状態検出部４２は車速センサ４１やパーキングブレーキセンサ４３からの出力に基づいて、車両が走行状態にあるか停車状態にあることを示す走行／停車信号を出力する。具体的には走行状態検出部４２は車両が停車状態にあると判別した際は“０”の識別情報を含む走行／停車信号を制御部１に出力し、車両が走行状態にあると判別した際は“１”の識別情報を含む走行／停車信号を制御部１に出力する。
【００５２】
次に、本発明の第２の実施形態にしたがったディジタル放送受信装置の動作について説明する。  
前述した第１の実施形態にしたがったディジタル放送受信装置はユーザが選択したチャンネルのテレビ映像情報および同一チャンネルのデータ放送用の情報の表示部１１への表示時に設定用画面Ｇ３上での所定のアイコン選択がなされた場合にデータ放送用の情報の表示を維持した上で外部機器インタフェース１５からの映像情報をテレビ映像情報に代えて表示部１１に表示させた。
【００５３】
これに対し本発明の第２の実施形態にしたがったディジタル放送受信装置はユーザが視聴中のチャンネルのテレビ映像情報および同一チャンネルのデータ放送用の情報の表示部１１への表示時で設定用画面Ｇ３でカーソルが“ＯＦＦ”に設定されてＯＫアイコン３３が選択されていても車両が走行中である場合には、車両の運転手が運転中にテレビ映像を見ることが出来ないようにデータ放送用の情報の表示を維持した上で外部機器インタフェース１５からの信号に含まれる映像情報をテレビ映像情報に代えて表示部１１に表示させる。
【００５４】
図１０は本発明の第２の実施形態にしたがったディジタル放送受信装置による表示制御処理の一例を示すフローチャートである。  
ここでは第１の実施形態で説明したステップＳ１乃至Ｓ６の処理後に入力部１４に対する所定の操作がなされると、表示部１１へのデータ放送の表示中における外部機器からの映像の同時表示にかかる設定用画面Ｇ３が表示部１１に表示される。
【００５５】
この設定用画面Ｇ３においてカーソルが“ＯＮ”に設定されてＯＫアイコン３３が選択された場合（ステップＳ７のＹＥＳ）には第１の実施形態で説明したステップＳ８以降の処理に移行する。
【００５６】
一方、この画面Ｇ３においてカーソルが“ＯＮ”に設定されてＯＫアイコン３３が選択された以外の場合（ステップＳ７のＮＯ）には、制御部１は走行状態検出部４２からの走行／停車信号に含まれる識別情報の種別を判別する。
【００５７】
前述した設定用画面Ｇ３においてカーソルが“ＯＮ”に設定されてＯＫアイコン３３が選択された以外の場合とは設定用画面Ｇ３上でカーソルが“ＯＦＦ”に設定されてＯＫアイコン３３が選択された場合またはステップＳ６の処理後に設定用画面Ｇ３上でＯＫアイコン３３が一度も選択されていない場合を意味する。
【００５８】
制御部１は走行状態検出部４２からの走行／停車信号に含まれる識別情報が“０”である場合（ステップＳ１１のＮＯ）には車両が停車しているとみなし、テレビ映像情報の表示部１１への表示を維持する。
【００５９】
一方、制御部１は走行状態検出部４２からの走行／停車信号に含まれる識別情報が“１”である場合（ステップＳ１１のＹＥＳ）には車両が走行しているとみなし、設定用画面Ｇ３においてカーソルが“ＯＮ”に設定されてＯＫアイコン３３が選択された場合と同様に表示制御部１２の映像信号切替部２１，２２，２３に識別情報“１”を含む制御信号を出力し、映像信号切替部２４に識別情報“０”を含む制御信号を出力する。  
以後は前述したステップＳ８乃至Ｓ１０の処理がなされて表示部１１にはデータ放送用の情報と外部機器からの情報がともに表示される。
【００６０】
この後、制御部１は走行状態検出部４２からの走行／停車信号に含まれる識別情報が“０”となった場合には車両が再び停車したとみなし、画面Ｇ２においてカーソルが“ＯＮ”に設定されてＯＫアイコン３２が選択された場合と同様に表示制御部１２の映像信号切替部２１，２４に識別情報“０”を含む制御信号を出力し、映像信号切替部２２，２３に識別情報“１”を含む制御信号を出力する。
【００６１】
以後は前述したステップＳ６以降の処理に戻り、表示部１１にはテレビ映像情報とデータ放送用の情報がともに表示される。  
以上説明したように、本発明の第２の実施形態にしたがったディジタル放送受信装置では、データ放送用の情報の表示中において設定用画面Ｇ３を介してデータ放送表示中における外部機器映像の同時表示を行なう旨の設定を行なっていない場合でも当該車両が走行している場合にはデータ放送用の情報とともに表示部１１に表示される情報がテレビ映像の情報から外部機器からの映像情報に切り替わる。
【００６２】
よって車両の運転手は当該車両が走行を開始した際に特別な操作を行なわずとも外部機器からの映像情報を閲覧することができ、運転中にテレビ映像に注意力を奪われることがなくなる。
【００６３】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００６４】
【図１】本発明の第１の実施形態にしたがったディジタル放送受信装置の内部回路の構成例を示すブロック図。
【図２】本発明の第１の実施形態にしたがったディジタル放送受信装置の表示制御部の内部回路の構成例を示すブロック図。
【図３】本発明の第１の実施形態にしたがったディジタル放送受信装置による表示制御処理の一例を示すフローチャート。
【図４】本発明の第１の実施形態にしたがったディジタル放送受信装置による表示種別の設定用画面の一例を示す図。
【図５】本発明の第１の実施形態にしたがったディジタル放送受信装置によるデータ放送の表示有無の設定用画面の一例を示す図。
【図６】本発明の第１の実施形態にしたがったディジタル放送受信装置によるテレビ映像およびデータ放送の表示画面の一例を示す図。
【図７】本発明の第１の実施形態にしたがったディジタル放送受信装置によるデータ放送表示時の外部機器映像の同時表示の有無の設定用画面の一例を示す図。
【図８】本発明の第１の実施形態にしたがったディジタル放送受信装置による外部映像およびデータ放送の表示画面の一例を示す図。
【図９】本発明の第２の実施形態にしたがったディジタル放送受信装置の内部回路の構成例を示すブロック図。
【図１０】本発明の第２の実施形態にしたがったディジタル放送受信装置による表示制御処理の一例を示すフローチャート。
【符号の説明】
【００６５】
１…制御部、２…ＴＶアンテナ、３…チューナ部、４…分離部（デマルチプレクサ部）、５…映像デコーダ、６…音声デコーダ、７…データ放送デコーダ、１１…表示部、１２…表示制御部、１３…音声再生部、１４…入力部、１５…外部機器インタフェース（Ｉ／Ｆ）、１６…カーナビゲーション装置、１７…ＧＰＳアンテナ、２１〜２４…映像信号切替部、２５…画像サイズ変換部、２６…画像合成部、４１…車速センサ、４２…走行状態検出部、４３…パーキングブレーキセンサ。
【図１】
2007096402.tif 000003
【図２】
2007096402.tif 000004
【図３】
2007096402.tif 000005
【図４】
2007096402.tif 000006
【図５】
2007096402.tif 000007
【図６】
2007096402.tif 000008
【図７】
2007096402.tif 000009
【図８】
2007096402.tif 000010
【図９】
2007096402.tif 000011
【図１０】
2007096402.tif 000012